(57)【要約】【課題】  着用者の体型に応じて腹部当て布の取付け位置を調整可能とし、腹部の保温をより確実に行うことが可能である寝間着を提供する。【解決手段】  寝間着本体の前身頃の内側面部には腹部を被覆する腹部当て布が設けられ、上記腹部当て布は、上下方向及び左右方向において取り付け位置を変更できるように構成されている。【選択図】  図３
0003174080.tif 000002
【実用新案登録請求の範囲】
【請求項１】
寝間着本体の前身頃の内側面部には腹部を被覆する腹部当て布が設けられ、上記腹部当て布は、上下方向及び左右方向において取り付け位置を変更できるように構成されていることを特徴とする寝間着。
【請求項２】
寝間着本体の後身頃の内側面部の腹部対応部には、左右方向に互いに間隔を置いて上下方向固定部が設けられ、上記腹部当て布は、上記上下方向固定部を介して前身頃の内側面部に上下方向に取り付け位置を変更できるように固定されることを特徴とする請求項１記載の寝間着。
【請求項３】
上記腹部当て布は、左右方向固定片を介して上記上下方向固定部に固定されることを特徴とする請求項２記載の寝間着。
【請求項４】
上記左右方向固定片部の一端部は上記腹部当て布に固定されると共に他端部には係合部が設けられ、上記上下方向固定部には上記係合部が係止しうる係止部が設けられていることを特徴とする請求項３記載の寝間着。
【請求項５】
上記腹部当て布には、前身頃に固定しうる固定部材が設けられていると共に、前身頃には上記固定部材が係合しうる係合部が設けられていることを特徴とする請求項１、２、３又は４記載の寝間着。
【請求項６】
上記腹部当て布は、全体略横長長方形状に形成され、上記左右方向固定片部は長さ方向両端部に固定されると共に、上記固定部材は幅方向上端部に固定されていることを特徴とする請求項４又は５のいずれか１項に記載の寝間着。
【考案の詳細な説明】
【技術分野】
【０００１】
本考案は、寝間着の改良に関する。
【背景技術】
【０００２】
就寝時には寝間着を着用するが、冬季等の寒冷時には室内も冷えることから、従来、特許文献１に示すような腹部当て布を設け、腹部の冷えを防止するように構成した寝間着があった。
【０００３】
しかしながら、腹部当て布が寝間着に縫着等により固定されているため、着用者の体型によっては、着用者の腹部に対応した位置に腹部当て布の位置が合わなくなるという問題があった。
【特許文献１】実開平２−１０６４１３号公報
【考案の開示】
【考案が解決しようとする課題】
【０００４】
本考案の課題は、着用者の体型に応じて腹部当て布の取付け位置を調整可能とし、腹部の保温をより確実に行うことが可能である寝間着を提供することにある。
【課題を解決するための手段】
【０００５】
上記課題を解決するために、請求項１の考案に係る寝間着においては、
寝間着本体の前身頃の内側面部には腹部を被覆する腹部当て布が設けられ、上記腹部当て布は、上下方向及び左右方向において取り付け位置を変更できるように構成されていることを特徴とする。
【０００６】
従って、請求項１記載の考案にあっては、寝間着本体の前身頃の内側面部には腹部を被覆する腹部当て布が設けられ、上記腹部当て布は、上下方向及び左右方向において取り付け位置を変更できるように構成されていることから、着用者の体型に応じて、腹部当て布の位置を調整することが可能である。
【０００７】
また、請求項２の考案に係る寝間着においては、寝間着本体の後身頃の内側面部の腹部対応部には、左右方向に互いに間隔を置いて上下方向固定部が設けられ、上記腹部当て布は、上記上下方向固定部を介して前身頃の内側面部に上下方向に取り付け位置を変更できるように固定されることを特徴とする。
【０００８】
従って、請求項２記載の考案にあっては、寝間着本体の後身頃の内側面部の腹部対応部には、左右方向に互いに間隔を置いて上下方向固定部が設けられ、上記腹部当て布は、上記上下方向固定部を介して前身頃の内側面部に上下方向に取り付け位置を変更できるように固定されることから、着用者の胴部の長さに応じて、腹部当て布の位置を調整することが可能である。
【０００９】
また、請求項３の考案に係る寝間着においては、上記腹部当て布は左右方向固定片を介して上記上下方向固定部に固定されることを特徴とする。
【００１０】
従って、請求項３記載の考案にあっては、上記腹部当て布は左右方向固定片を介して上記上下方向固定部に固定されることから、着用者の胴部の長さ及び腹部の寸法に応じて、腹部当て布の位置を調整することが可能である。
【００１１】
また、請求項４の考案に係る寝間着においては、上記左右方向固定片部の一端部は上記腹部当て布に固定されると共に他端部には係合部が設けられ、上記上下方向固定部には上記係合部が係止しうる係止部が設けられていることを特徴とする。
【００１２】
従って、請求項４記載の考案にあっては、上記左右方向固定片部の一端部は上記腹部当て布に固定されると共に他端部には係合部が設けられ、上記上下方向固定部には上記係合部が係止しうる係止部が設けられていることから、着用者の胴部の長さ及び腹部の寸法に応じて、腹部当て布の位置を調整することが可能である。
【００１３】
また、請求項５の考案に係る寝間着においては、上記腹部当て布には、前身頃に固定しうる固定部材が設けられていると共に、前身頃には上記固定部材が係合しうる係合部が設けられていることを特徴とする。
【００１４】
従って、請求項５記載の考案にあっては、上記腹部当て布には、前身頃に固定しうる固定部材が設けられていると共に、前身頃には上記固定部材が係合しうる係合部が設けられていることから、腹部当て布を腹部に密着させることが可能である。
【００１５】
また、請求項６の考案に係る寝間着においては、上記腹部当て布は、全体略横長長方形状に形成され、上記左右方向固定片部は長さ方向両端部に固定されると共に、上記固定部材は幅方向上端部に固定されていることを特徴とする。
【００１６】
従って、請求項６記載の考案にあっては、上記腹部当て布は、全体略横長長方形状に形成され、上記左右方向固定片部は長さ方向両端部に固定されると共に、上記固定部材は幅方向上端部に固定されていることから、腹部当て布を腹部に密着させることが可能である。
【考案の効果】
【００１７】
請求項１の考案にあっては、寝間着本体の前身頃の内側面部には腹部を被覆する腹部当て布が設けられ、上記腹部当て布は、上下方向及び左右方向において取り付け位置を変更できるように構成されていることから、着用者の体型に応じて、腹部当て布の位置を調整することができ、腹部の保温をより確実に行うことが可能である。
【００１８】
また、請求項２の考案にあっては、寝間着本体の後身頃の内側面部の腹部対応部には、左右方向に互いに間隔を置いて上下方向固定部が設けられ、上記腹部当て布は、上記上下方向固定部を介して前身頃の内側面部に上下方向に取り付け位置を変更できるように固定されることから、着用者の胴部の長さに応じて、腹部当て布の位置を調整することができ、腹部の保温をより確実に行うことが可能である。
【００１９】
また、請求項３の考案にあっては、上記腹部当て布は左右方向固定片を介して上記上下方向固定部に固定されることから、着用者の胴部の長さ及び腹部の寸法に応じて、腹部当て布の位置を調整することができ、腹部の保温をより確実に行うことが可能である。
【００２０】
また、請求項４の考案にあっては、上記左右方向固定片部の一端部は上記腹部当て布に固定されると共に他端部には係合部が設けられ、上記上下方向固定部には上記係合部が係止しうる係止部が設けられていることから、着用者の胴部の長さ及び腹部の寸法に応じて、腹部当て布の位置を調整することができ、腹部の保温をより確実に行うことが可能である。
【００２１】
また、請求項５の考案にあっては、上記腹部当て布には、前身頃に固定しうる固定部材が設けられていると共に、前身頃には上記固定部材が係合しうる係合部が設けられていることから、腹部当て布を腹部に密着させることができ、腹部の保温をより確実に行うことが可能である。
【００２２】
また、請求項６の考案にあっては、上記腹部当て布は、全体略横長長方形状に形成され、上記左右方向固定片部は長さ方向両端部に固定されると共に、上記固定部材は幅方向上端部に固定されていることから、腹部当て布を腹部に密着させることができ、腹部の保温をより確実に行うことが可能である。
【図面の簡単な説明】
【００２３】
【図１】本考案に係る寝間着の一実施の形態を示し、実施の形態における寝間着本体の前身頃を開いた状態を示す平面図である。
【図２】本考案に係る寝間着の一実施の形態を示し、実施例の形態における腹部当て布の平面図である。
【図３】本考案に係る寝間着の一実施の形態を示し、実施の形態における寝間着に腹部当て布を取付けた状態を示す平面図である。
【考案を実施するための最良の形態】
【００２４】
以下、添付図面に示す実施の形態に基づき本考案に係る寝間着を詳述する。
【００２５】
図１及び図２に示すように、本考案に係る寝間着３０は、寝間着本体１０の後身頃１４の内側面部１２の腹部対応部には、左右方向に互いに間隔を置いて上下方向固定部１５が設けられ、上記腹部当て布１３は、上記上下方向固定部１５を介して前身頃１１の内側面部１２に上下方向に取り付け位置を変更できるように構成されている。
【００２６】
図２に示すように、上記腹部当て布１３は、左右方向固定片１６を介して上記上下方向固定部１５に固定されるように構成されている。
【００２７】
図２に示すように、上記左右方向固定片部１６の一端部２１は上記腹部当て布１３に固定されると共に他端部２２には係合部１７が設けられ、上記上下方向固定部１５には上記係合部１７が係止しうる係止部１８が設けられている。
【００２８】
図１及び図２に示すように、上記腹部当て布１３には、前身頃１１に固定しうる固定部材１９が設けられていると共に、前身頃１１には上記固定部材１９が係合しうる係合部２０が設けられている。
【００２９】
図２に示すように、上記腹部当て布１３は、全体略横長長方形状に形成され、上記左右方向固定片部１６は長さ方向両端部２３に固定されると共に、上記固定部材１９は幅方向上端部２４に固定されるように構成されている。
【００３０】
図１及び図２に示すように、上記係合部１７は係合ボタン１７a及び係合ボタン１７bにより構成されており、上記係止部１８は上記係合ボタン１７a、係合ボタン１７bが係合しうる係止孔１８a、係止孔１８b及び係止孔１８cにより構成されており、係合部２０は上記固定部材１９が係合しうる係合孔２０a、係合孔２０b及び係合孔２０cにより構成されている。
【００３１】
以下、本実施例に係る寝間着の作用について添付図面を用いて説明する。
【００３２】
図１乃至図３に示すように、寝間着本体１０の後身頃１４の内側面部１２の腹部対応部に、左右方向に互いに間隔を置いて設けられた上記上下方向固定部１５の係止孔１８a、係止孔１８b又は係止孔１８cいずれかに左右方向固定片部１６の他端部２２に設けられた係合部１７を係合することによって、腹部当て布１４は、上下方向に取り付け位置を変更できる。
【００３３】
図１乃至図３に示すように、寝間着本体１０の後身頃１４の内側面部１２の腹部対応部に、左右方向に互いに間隔を置いて設けられた上記上下方向固定部１５の係止部１８に左右方向固定片部１６の他端部２２に設けられた係合ボタン１７a又は係合ボタン１７bのいずれかを係合することによって、腹部当て布１４は、左右方向に取り付け位置を変更できる。
【００３４】
図１乃至図３に示すように、寝間着本体１０の後身頃１４の内側面部１２の腹部対応部に、左右方向に互いに間隔を置いて設けられた上記上下方向固定部１５の係止孔１８a、係止孔１８b又は係止孔１８cいずれかに左右方向固定片部１６の他端部２２に設けられた係合ボタン１７a又は係合ボタン１７bのいずれかを係合することによって、腹部当て布１４は、上下左右方向に取り付け位置を変更できる。
【００３５】
その結果、着用者の胴部の長さ及び腹部の寸法に応じて、腹部当て布の位置を調整することができ、腹部の保温をより確実に行うことが可能となる。
【００３６】
図１乃至図３に示すように、上記腹部当て布１３に設けられた固定部材１９を寝間着本体１０の前身頃１１の係合孔２０a、係合孔２０b又は係合孔２０cのいずれかに係合することによって、腹部当て布１３を腹部に密着させることができる。
【００３７】
その結果、腹部当て布を腹部に密着させることができ、腹部の保温をより確実に行うことが可能となる。
【産業上の利用可能性】
【００３８】
本考案は腹部当て布の取付け位置を調整可能とする寝間着に適用可能である。
【符号の説明】
【００３９】
１０  寝間着本体
１１ 前身頃
１２  内側面部
１３  腹部当て布
１４  後身頃
１５  上下方向固定部
１６ 左右方向固定片部
１７  係合部
１７a係合ボタン
１７b係合ボタン
１８  係止部
１８a係止孔
１８b係止孔
１８c係止孔
１９  固定部材
２０  係合部
２０a係合孔
２０b係合孔
２０c係合孔
２１  一端部
２２  他端部
２３  長さ方向両端部
２４  幅方向上端部
３０ 寝間着
【図１】
0003174080.tif 000003
【図２】
0003174080.tif 000004
【図３】
0003174080.tif 000005